(57)【要約】  【課題】  開放性と、磁場発生効率の良い傾斜磁場発生手段とを備えた磁気共鳴イメージング装置を提供する。  【解決手段】  磁場発生ユニットと傾斜磁場コイルは、撮影領域（７）に均一磁場と傾斜磁場を生成する。撮影領域（７）にはテーブル（８）に載置された被検体が挿入される。傾斜磁場コイルはアクティブシールド型のもので、主コイルとシールドコイルとから成る。主コイルの一部は撮影領域（７）から離れて配置され、主コイルの他の一部は撮影領域（７）に近接して配置されている。すなわち、各主コイルは撮影領域（７）を基準にして非対称に配置されている。撮影領域の一部では開放性が改善され、他の一部では主コイルとシールドコイルの間隔が拡がることにより傾斜磁場コイルの効率が向上する。【選択図】      図１
2005246086.tif 000002
【特許請求の範囲】
【請求項１】
被検体が配置される撮影領域に静磁場を発生する静磁場発生手段と、前記撮影領域に傾斜磁場を発生する傾斜磁場発生手段とを有してなる磁気共鳴イメージング装置において、
前記傾斜磁場発生手段は、前記撮影領域を基準にして非対称に構成されていることを特徴とする磁気共鳴イメージング装置。
【請求項２】
請求項１に記載の磁気共鳴イメージング装置において、
前記傾斜磁場発生手段は、その厚みが異なる部分を有することを特徴とする磁気共鳴イメージング装置。
【請求項３】
被検体が配置される撮影領域に静磁場を発生する静磁場発生手段と、前記撮影領域に傾斜磁場を発生する傾斜磁場発生手段とを有し、
前記傾斜磁場発生手段は、主コイルとシールドコイルとを有し成り、前記傾斜磁場を発生すると共に、前記静磁場発生手段側への漏洩磁場を低減している磁気共鳴イメージング装置において
前記傾斜磁場発生手段は、前記主コイルと前記シールドコイルとの間隔が異なる部分を有することを特徴とする磁気共鳴イメージング装置。
【請求項４】
請求項３に記載の磁気共鳴イメージング装置において、
前記傾斜磁場発生手段は、前記主コイルと前記シールドコイルとの間隔が狭い第１の部分と第１の部分より間隔が広い第２の部分を有することを特徴とする磁気共鳴イメージング装置。
【請求項５】
請求項４に記載の磁気共鳴イメージング装置において、
前記シールドコイルの電流密度に関して、前記第１の部分を前記第２の部分よりも高くすることを特徴とする磁気共鳴イメージング装置。
【請求項６】
請求項３に記載の磁気共鳴イメージング装置において、
前記傾斜磁場発生手段は、前記主コイルを前記撮影領域に近づけて形成した部分と遠ざけて形成した部分を有することを特徴とする磁気共鳴イメージング装置。
【請求項７】
請求項６に記載の磁気共鳴イメージング装置において、
前記傾斜磁場発生手段は、主コイルの上側部分を前記撮影領域から遠ざけて形成し、下側部分を前記撮影領域に近づけて形成してあることを特徴とする磁気共鳴イメージング装置。
【請求項８】
請求項６又は７に記載の磁気共鳴イメージング装置において、
前記主コイルの電流密度に関して、前記遠ざけて形成した部分を前記近づけて形成した部分よりも高くすることを特徴とする磁気共鳴イメージング装置。
【請求項９】
請求項３乃至８に記載の磁気共鳴イメージング装置において、
前記傾斜磁場発生手段は、前記シールドコイルを、前記撮影領域を基準にして対称に構成していることを特徴とする磁気共鳴イメージング装置。
【請求項１０】
請求項５又は８に記載の磁気共鳴イメージング装置において、
前記傾斜磁場発生手段は、コイルパターンの粗密により前記電流密度を設定していることを特徴とする磁気共鳴イメージング装置。
【発明の詳細な説明】
【技術分野】
【０００１】
本発明は、磁気共鳴イメージング装置(以下、MRI装置という)に係り、特に開放度の高い、高効率の傾斜磁場コイルを備えたMRI装置に関する。
【背景技術】
【０００２】
従来の分離型磁石を備えたMRI装置では、その分離型磁石は上下方向または水平方向に撮影空間を挾むように配置された1対の対称な構造の磁石によって構成されている。これに併せて、傾斜磁場コイルも上下方向また水平方向に対称な1対の傾斜磁場コイルが使用されている。例えば、上下方向に対称に配置された永久磁石を磁場発生装置として用いた場合の例が［特許文献1］に、また核スピントモグラフィー用勾配コイルの例が［特許文献2］に、詳細に開示されている。
【０００３】
上記の公知例のように、上下方向に1対の磁石を配置した従来のMRI装置では、撮影時の被検体周辺の装置の断面図は図6に示す如くなっている。 図6において、撮影領域(撮影空間)7を挾んで上下方向に上側磁場発生ユニット1と下側磁場発生ユニット2が対称に配置され、その内側に上側傾斜磁場コイルユニット3と下側傾斜磁場コイルユニット４が対称に配置されている。また、各々の傾斜磁場コイルユニット3，4は主コイル5とシールドコイル6とから構成され、主コイル5とシールドコイル6の間隔d1，d2はほぼ同一寸法となっている。
【０００４】
上記の如き配置において、被検体(図示せず)をテーブル8に載置して撮影領域7の中心部に挿入すると、撮影領域7の上側の空間は開放度の観点から見て被検体にとって十分な高さが必要となり、上側傾斜磁場コイルユニット3の厚さはできるだけ薄い方がよく、また、テーブル8の下側の空間(図示の間隔d3の部分)は被検体の開放度に寄与せず、無駄な空間となっている。
【０００５】
上記の如く、従来のMRI装置においては、被検体の上部および下部の空間において、それぞれの空間に対する要求が異なるにも拘らず、上下の傾斜磁場コイルユニット3，4が同一の構造になっているために、開放度およびコイルの効率が損なわれていたものである。例えば、図6において、主コイル5とシールドコイル6との間隔d1とd2を同じにしたために、テーブル8の下側の間隔d3の空間が無駄な空間となっている。
【特許文献１】特開平２−２４６９２７号公報
【特許文献２】特開平９−１７３３１９号公報
【発明の開示】
【発明が解決しようとする課題】
【０００６】
上記の如く、従来のMRI装置では、傾斜磁場コイルを対称な1対のコイルで構成したことにより、MRI装置の開放度および傾斜磁場コイルの効率を損ねているので、本発明では、被検体の開放度およびコイルの効率を高めた傾斜磁場コイルを具備するMRI装置を提供することを目的とする。
【課題を解決するための手段】
【０００７】
上記目的を達成するため、本発明のMRI装置は以下のように構成される。即ち、被検体が配置される撮影領域に静磁場を発生する静磁場発生手段と、前記撮影領域に傾斜磁場を発生する傾斜磁場発生手段とを有し、前記傾斜磁場発生手段は、前記撮影領域を基準にして非対称に構成されている。
好ましくは、前記傾斜磁場発生手段を、その厚みが異なる部分を有するように構成して良い。
【０００８】
また、本発明のMRI装置の他の好ましい実施態様は、被検体が配置される撮影領域に静磁場を発生する静磁場発生手段と、前記撮影領域に傾斜磁場を発生する傾斜磁場発生手段とを有し、前記傾斜磁場発生手段は、主コイルとシールドコイルとを有し成り、前記傾斜磁場を発生すると共に、前記静磁場発生手段側への漏洩磁場を低減しているており、前記主コイルと前記シールドコイルとの間隔が異なる部分を有する。
好ましくは、  前記傾斜磁場発生手段は、前記主コイルと前記シールドコイルとの間隔が狭い第1の部分と第1の部分より間隔が広い第2の部分を有して良い。この際、前記シールドコイルの電流密度に関して、前記第1の部分を前記第2の部分よりも高くして良い。
【０００９】
また、好ましくは、前記傾斜磁場発生手段は、前記主コイルを前記撮影領域に近づけて形成した部分と遠ざけて形成した部分を有して良い。この際、主コイルの上側部分を前記撮影領域から遠ざけて形成し、下側部分を前記撮影領域に近づけて形成して良い。また、前記主コイルの電流密度に関して、前記遠ざけて形成した部分を前記近づけて形成した部分よりも高くして良い。
また、好ましくは、前記傾斜磁場発生手段は、前記シールドコイルを、前記撮影領域を基準にして対称に構成して良い。
また、好ましくは、前記傾斜磁場発生手段は、コイルパターンの粗密により前記電流密度を設定して良い。
【発明の効果】
【００１０】
以上説明した如く、本発明のMRI装置によれば、傾斜磁場発生手段を非対称に構成したことにより、撮影領域に挿入される被検体の開放度の向上が図られ、また、傾斜磁場発生手段の磁場発生効率の向上が図られる。
【発明を実施するための最良の形態】
【００１１】
以下、本発明の実施例を添付図面に基づき具体的に説明する。
図1に本発明のMRI装置の第1の実施例の要部を示す。本実施例は撮影領域7に均一な磁場を発生させる垂直磁場方式のMRI装置である。撮影領域7を挾んで上下方向に上側磁場発生ユニット1と下側磁場発生ユニット2が対向して配置され、撮影領域7に均一な磁場を作っている。また、上側磁場発生ユニット1の下部および下側磁場発生ユニット2の上部には、上側傾斜磁場コイルユニット21および下側傾斜磁場コイルユニット22が配置されている。
【００１２】
上下の磁場発生ユニット1，2としては、従来技術である永久磁石や超電導磁石などを用いることができる。また、鉄などの強磁性体により磁束を誘導して、均一磁場発生の手段として用いることもできる。
【００１３】
上下の傾斜磁場コイルユニット21，22は、渦巻状コイル，同心円コイルまたはそれらの組合せから成り、傾斜した磁場を撮影領域７に発生させる。本実施例においては、傾斜磁場コイルユニット21，22としてアクティブシールド型のものを用い、主コイル23，25とシールドコイル24，26とに互いに逆向きの電流を流すことにより、中央の撮影領域７に傾斜した磁場を発生させると共に、上側磁場発生ユニット1および下側磁場発生ユニット2の側への漏洩磁場を低減し、磁場発生ユニット1，2にて発生する渦電流を低減させている。
【００１４】
更に、本実施例では、上側傾斜磁場コイルユニット21の主コイル23とシールドコイル24との間の間隔d1と下側傾斜磁場コイルユニット22の主コイル25とシールドコイル26との間の間隔d2に関し、間隔d1を狭くし、間隔d2を広くしている。このように間隔d1とd2の間に差異を設けることにより、被検体に対する開放性を改善し、傾斜磁場コイルユニットの効率向上を図ることができる。
【００１５】
通常、撮影領域7の上側では、撮影領域7と上側傾斜磁場コイル21の主コイル23との間の空間は、撮影に直接使用されることはないが、この空間が無いかまたは狭い場合には極めて閉塞的な感じを被検体に与えるので、閉所恐怖症の被検体を撮影することが困難となる。また、術者が被検体に対し何らかの施術または操作を行う場合、例えば、被検体へのカテーテルの挿管や、術者の刺激に対する被検体の反応を診る場合などには、上記の空間にて術者が被検体に対してアクセスすることになり、撮影領域7の上部の空間はMRI装置の使い方に大きく係わり、製品としての価値に直接結び付く要素となる。
【００１６】
従って、本実施例では、上側傾斜磁場コイルユニット21の主コイル23とシールドコイル24の間隔d1を狭くしたことにより、撮影領域7の上側の空間を拡げることができ、上記の効果を上げることができる。
【００１７】
また、撮影領域7の下側では、撮影領域7と下側傾斜磁場コイルユニット22の主コイル25との間に、被検体を載せたテーブル8が置かれるが、テーブル8の下側の領域は撮影領域7の上側の空間と比べて利用できる用途が少なく、空間的にみて余裕がある。このテーブル8の下側の余裕空間を有効に利用するため、本実施例では、下側傾斜磁場コイルユニット22の主コイル25をテーブル8に近接して配置することにより、下側傾斜磁場コイルユニット22の主コイル25とシールドコイル26との間隔d2を拡げたものである。一般的に、傾斜磁場コイルユニットの主コイルとシールドコイルの組合せによって傾斜磁場を発生する場合、主コイルとシールドコイルとの間隔d1，d2と磁場の効率はほぼ比例関係にある。従って、下側傾斜磁場コイルユニット22については、主コイル25とシールドコイル26との間隔d2を広くとることにより効率の良い傾斜磁場コイルユニットにすることができる。
【００１８】
図2に、本実施例の傾斜磁場コイルユニット21，22に用いられる平板状アクティブシールド型コイルのコイルパターンの一例を示す。図示のものはX軸方向の主コイル(23X，25X)に対応するコイルパターンの例である。中心線(Y軸)31の左右に2個の対称な形状のコイルパターン32，33が配列されている。Z軸方向の主コイルに対応するコイルパターンとしては、本実施例では1個のパターンが中心に配列されている。これらのコイルパターンは渦巻状または同心円状に作られており、公知のものと同様のパターンである。シールドコイルのパターンは主コイルとほぼ相似形で、主コイルを覆うように一まわり大きめに作られている。
【００１９】
図3は、本実施例の傾斜磁場コイルユニット21，22を撮影領域7の上下に配置した例である。傾斜磁場コイルユニット21，22は通常X軸，Y軸，Z軸の3軸方向の傾斜磁場を発生する3組の傾斜磁場コイルから成るが、その中のX軸方向のものを図3(a)に、Z軸方向のものを図3(b)に示す。Y軸方向のものは、X軸方向のものとほぼ同じパターンで作られ、X軸方向のものと直交するように配置される。図示の傾斜磁場コイルのパターンは簡略化してあるが、実際には図2に示す如くコイル線材が高密度に配置されている。これらのコイルパターンは公知のものと同様のものである。
【００２０】
図3(a)において、上下方向がZ軸方向、左右方向がX軸方向で、X軸方向の傾斜磁場を作るアクティブシールド型傾斜磁場コイル21X，22Xが上下方向に配置されている。本実施例の傾斜磁場コイル21X，22Xはそれぞれ撮影領域7に近い側に配置された主コイル23X，25Xと撮影領域７から遠い側に配置されたシールドコイル24X，26Xとから構成される。図示の主コイル23X，25Xおよびシールドコイル24X，26Xには円板状の基板上に最適化された2個の同心円状のコイルが形成され、電流が通じられている。
【００２１】
X軸方向の傾斜磁場コイル21X，22Xの主コイル23X，25Xおよびシールドコイル24X，26Xは4個とも図2または図3(a)に示した如く中心線の左右に配置された2個のコイルパターンから構成される。X軸方向の傾斜磁場を発生する際に主コイル23X，25Xの2個のコイルパターンに流す電流の向きはそれぞれ逆向きになっている。例えば、図2において、右側のコイルパターン32に左まわりの電流を流すときには、左側のコイルパターン33には右まわりの電流を流すことになる。また、上側の主コイル23Xと下側の主コイル25Xとでは、同じ位置にあるコイルパターンについては同じ向きの電流を流す。その結果、撮影領域7に所望のX軸方向の傾斜磁場が得られる。また、シールドコイル24X，26Xは、主コイル23X，25Xが傾斜磁場コイルの外側に発生した不要な磁場をシールドするのに必要な逆向きの磁場を作る。このため、シールドコイル24X，26Xの各コイルパターンに流す電流の向きは、主コイル23X，25Xの対応する位置にあるコイルパターンに流す電流の向きとは逆向きにする。
【００２２】
主コイル23X，25Xとシールドコイル24X，26Xとは、上記の如くそれぞれについて最適化されたパターンを使用しているが、両者を比較すると、(1)主コイルにはシールドコイルよりも多くの電流量(電流密度に相当)が通電されること、(2)主コイルの面積はシールドコイルより小さく作られていること、(3)主コイルとシールドコイルとはそれぞれ逆向きの電流が流れること、などの相違点がある。上記の主コイルとシールドコイルとの電流密度の差異については、それぞれのコイル導体に流れる電流値に差異を設ける場合もあるが、多くの場合は主コイルの巻き線密度をシールドコイルよりも高くして巻き数を増し、主コイルとシールドコイルの巻き線を直列に接続することにより電流密度に差異を設けている。
【００２３】
図3(a)において、本実施例のX軸方向傾斜磁場コイル21X，22Xでは、上側傾斜磁場コイル21Xの主コイル23Xとシールドコイル24Xの間隔d1は従来のものより狭く、下側傾斜磁場コイル22Xの主コイル25Xとシールドコイル26Xの間隔d2は従来のものより広く設定され、上側傾斜磁場コイル21Xと下側傾斜磁場コイルとは、撮影領域7に対し、非対称に配置されている。
【００２４】
撮影領域7を基準にした場合、上側傾斜磁場コイル21Xの主コイル23Xは撮影領域7から離れた位置に配置されるので、主コイル23Xによって撮影領域7に生成される磁場が低下するので、主コイル23Xに通電する電流の電流密度を大きくして、撮影領域7の傾斜磁場が適正値になるように補正する。また、下側傾斜磁場コイル22Xの主コイル25Xは撮影領域7に近い位置に配置されるので、主コイル25Xによって撮影領域7に生成される磁場が上昇するので、主コイル25Xに通電する電流の電流密度を小さくして、撮影領域7の傾斜磁場が適正値になるように補正する。その結果、撮影領域7内にはX座標に比例したX軸方向の傾斜磁場が生成される。
【００２５】
次に、上側傾斜磁場コイル21Xのシールドコイル24Xは主コイル23Xに近接して配置されているので、シールド効果を上げるために、シールドコイル24Xに通電する電流の電流密度を大きくする。また、下側傾斜磁場コイル22Xのシールドコイル26Xは主コイル25Xから離れて配置されているので、シールドコイル26Xに通電する電流の電流密度を小さくする。
【００２６】
上記において、各コイルの電流密度は、各コイルの巻き線の密度、すなわち巻き線の粗密、および各コイルの巻き線に流す電流値に依存するので、各コイルの電流密度を制御するためには、各コイルの巻き線密度または電流値、あるいは巻き線密度と電流値の両方を制御すればよい。
【００２７】
図3(b)においては、Z軸方向の傾斜磁場を作るアクティブシールド型傾斜磁場コイル21Z，22Zが上下方向に配置されている。方向は上下方向がZ軸方向である。Z軸方向の傾斜磁場コイル21Z，22Zは主コイル，シールドコイルとも、X軸方向およびY軸方向の主コイル，シールドコイルと組で重ねて配置されている。このため、上側傾斜磁場コイル21Zの主コイル23Zは撮影領域７から離れて配置され、下側傾斜磁場コイル22Zの主コイル24Zは撮影領域7に近付けて配置されている。
【００２８】
Z軸方向の傾斜磁場コイル21Z，22Zは、主コイル23Z，25Z，シールドコイル24Z，26ZともZ軸に対称なコイルパターンで作られている。すなわち、円板状の基板上に最適化された１個の同心円状のコイルパターンが形成され、電流が通じられている。主コイル23Z，25Zおよびシールドコイル24Z，26Zへの電流の流し方、両コイルの関係、すなわち通電する電流量(電流密度に相当)，面積，電流の向きについては、上記のX軸方向の傾斜磁場コイルの場合とほぼ同様である。主コイル23Zと25Zとは、それぞれ1個のコイルパターンに電流を流すことにより、撮影領域７内にＺ座標に比例したZ軸方向の傾斜磁場を生成している。
【００２９】
また、Z軸方向の傾斜磁場コイル21Z、22Zについても、撮影領域7に対して非対称に配置しているので、X軸方向の傾斜磁場コイル21X、22Xの場合と同様に、各コイルの電流密度を制御して、撮影領域7の傾斜磁場が適正値となり、傾斜磁場コイルの外側の漏洩磁場をシールドするように補正している。
【００３０】
図4に本発明のMRI装置の第2の実施例の要部を示す。本実施例は開放型の水平磁場方式のMRI装置で、中央の撮影領域7に対して左右に1対の磁場発生ユニット、左側磁場発生ユニット41と右側磁場発生ユニット42が配置されている。この磁場発生ユニットの場合、右側磁場発生ユニット42の外径が左側磁場発生ユニット41の外径よりも小さく作られている。図示では、被検体を載置したテーブル8の撮影領域7への挿入を、紙面に垂直な方向から行うようにしているが、一対の磁場発生ユニットの中央部の一方または両方に穴を設けても良く、その場合にはこの穴を用いて被検体を左または右方向から撮影領域7に挿入することができる。このような構造のMRI装置の磁石の例は、［特許文献3］に開示されている。
【特許文献３】特開平９−１１７４３６号公報
【００３１】
本実施例において、傾斜磁場コイルユニットは、左右の磁場発生ユニットの外径に合わせて構成されている。外径の大きい左側磁場発生ユニット41に対しては外径の大きい左側傾斜磁場コイルユニット43が、外径の小さい右側磁場発生ユニット42に対しては外径の小さい右側傾斜磁場コイルユニット44が、中央の撮影領域7を挾んでそれぞれ配置されている。左側傾斜磁場コイルユニット43は大径の主コイル45とシールドコイル46とから構成され、右側傾斜磁場コイルユニット44は小径の主コイル47とシールドコイル48とから構成されている。
【００３２】
本実施例においても、第1の実施例の場合と同様に、傾斜磁場コイルユニット43，44のシールドコイル46，48は対応する主コイル45，47に比し、大きい面積を有するが、コイルパターンの電流密度を小さく設定している。また、主コイル45，47，シールドコイル46，48とも、X軸，Y軸，Z軸の3軸方向のコイルを有し、これらのコイルは第１の実施例と同様に構成されている。
【００３３】
次に、本実施例の場合のコイルへの電流の流し方について説明する。右側傾斜磁場コイルユニット44の主コイル47については左側のものに比べてその外径が小さくなるので、撮影領域7に発生する磁場を高めるために、主コイル47のコイルパターンに流す電流密度が大きくなるように制御する。電流密度を大きくするためには、第1の実施例の場合と同様に、コイルパターンに流す電流値を大きくするか、コイルパターンの巻き線密度を増加する。シールドコイル48については、その外径が主コイル47と同様に小径で、かつ主コイル47に近接して配置されているので、シールド効果を高めるためにシールドコイル48のコイルパターンに流す電流密度が大きくなるように制御する。左側傾斜磁場コイルユニット43については、その外径は右側のものに比べて大きいが、従来品と比べて大差ないので、主コイル45およびシールドコイル47の電流密度は従来品と同等で良い。また、この外径が従来品と比べて大きくなる場合には、主コイル45およびシールドコイル47の電流密度が小さくなるように制御すればよい。
【００３４】
図5には、本実施例の傾斜磁場コイルユニットによって作られる傾斜磁場の磁束の流れ図を参考のために示す。図5(a)はX軸の傾斜磁場の例，図5(b)はZ軸方向の傾斜磁場の例である。 
図5(a)において、X軸方向の傾斜磁場コイルユニットは水平方向(Z軸方向)に配置されている。撮影領域7の左側には、外径の大きい左側傾斜磁場コイルユニット43の主コイル45Xとシールドコイル46Xが配置され、撮影領域7の右側には、外径の小さい右側傾斜磁場コイルユニット44の主コイル47Xとシールドコイル48Xが配置されている。黒い三角印51は磁束の流れを示しており、撮影領域7内には上下方向(X軸方向)にX座標に比例した傾斜磁場が生成されている。
【００３５】
図5(b)においても、Z軸方向の傾斜磁場コイルユニットが水平方向(Z軸方向)に配置されている。撮影領域7の左側には外径の大きい左側傾斜磁場コイルユニット43の主コイル45Zとシールドコイル46Zが配置され、撮影領域7の右側には外径の小さい右側傾斜磁場コイルユニット44の主コイル47Zとシールドコイル48Zが配置されている。撮影領域7内には左右方向(Z軸方向)にZ座標に比例した傾斜磁場が生成されている。
【００３６】
上記の如く、傾斜磁場コイルユニット43，44を磁場発生ユニット41，42の外径に合わせて作ることにより、磁石によって作られる開放的な空間を減らすことなく、撮影領域７に傾斜磁場を発生させることができるので、被検体に対し、よりアクセス性の高い水平磁場方式のMRI装置を提供することができる。
【００３７】
また、第2の実施例の如き磁場発生ユニットの配列の場合、撮影領域7が大径の左側磁場発生ユニット41に近接して形成される傾向にあるので、小径の右側磁場発生ユニット42に対して配置される右側傾斜磁場コイルユニット44を省いて、撮影領域7に近い左側傾斜磁場コイルユニット43のみで撮影領域７に傾斜磁場を作ることも可能である。この場合には、右側の空間が拡がり開放度が改善される。このような構成は第1の実施例の如き垂直磁場方式の場合に可能で、上側の磁場発生ユニットが小径の場合などに有効である。
【図面の簡単な説明】
【００３８】
【図１】本発明のMRI装置の第1の実施例の要部。
【図２】本実施例の傾斜磁場コイルユニットに用いられる平板状アクティブシールド型コイルのコイルパターンの一例。
【図３】本実施例の傾斜磁場コイルユニットを撮影領域の上下に配置した例。
【図４】本発明のMRI装置の第2の実施例の要部。
【図５】本実施例の傾斜磁場コイルユニットによって作られる傾斜磁場の磁束の流れ図。
【図６】従来のMRI装置の要部。
【符号の説明】
【００３９】
１ 上側磁場発生ユニット、
２ 下側磁場発生ユニット、
３，２１ 上側傾斜磁場コイルユニット、
４，２２ 下側傾斜磁場コイルユニット、
５，２３，２３Ｘ，２３Ｚ，２５，２５Ｘ，２５Ｚ，４５，４５Ｘ，４５Ｚ，４７，４７Ｘ，４７Ｚ 主コイル、
６，２４，２４Ｘ，２４Ｚ，２６，２６Ｘ，２６Ｚ，４６，４６Ｘ，４６Ｚ，４８，４８Ｘ，４８Ｚ シールドコイル、
７ 撮影領域、
８ テーブル、
３１ 中心線(Y軸)、
３２ 右側コイルパターン、
３３ 左側コイルパターン、
４１ 左側磁場発生ユニット、
４２ 右側磁場発生ユニット、
４３ 左側傾斜磁場コイルユニット、
４４ 右側傾斜磁場コイルユニット、
５１ 磁束
【図１】
2005246086.tif 000003
【図２】
2005246086.tif 000004
【図３】
2005246086.tif 000005
【図４】
2005246086.tif 000006
【図５】
2005246086.tif 000007
【図６】
2005246086.tif 000008